(57)【要約】  【課題】真空断熱材のみで断熱壁の厚みを小さくし、真空断熱材の表面が破損した場合にも断熱性能を維持することができる自動販売機を提供する。  【解決手段】収納室に高い断熱性能を有する略箱型の第１の断熱材９と、第１の断熱材９よりも低い断熱性能を有するブロック状の第２の断熱材１０とを有する第１の断熱板１２を備え、第１の断熱板１２は第１の断熱材９の外周に第２の断熱材１０を配置し、全体をシート１１で覆って形成され、収納室１に第１の断熱板１２で断熱空間を形成することで、断熱性能の高い断熱材の面積を増加させ、断熱性能の向上ができ、省エネの自動販売機を提供することができる。【選択図】図１
2007122316.tif 000002
【特許請求の範囲】
【請求項１】
自動販売機の収納室は高い断熱性能を有する略矩形状の第１の断熱材と、前記第１の断熱材よりも低い断熱性能を有する第２の断熱材とを有する第１の断熱板を備え、前記第１の断熱板は前記第１の断熱材の外周に前記第２の断熱材を配置して、前記第１の断熱板の両面をシートで覆って形成したことを特徴とする自動販売機。
【請求項２】
第１の断熱材は周縁部に凸部を形成し、第２の断熱材は前記凸部に対応させて凹部を形成したことを特徴とする請求項１に記載の自動販売機。
【請求項３】
第１の断熱材と第２の断熱材の接合部にシール部材を配置したことを特徴とした請求項１または２に記載の自動販売機。
【請求項４】
第１の断熱板を覆うシートと第１の断熱材、第２の断熱材の接合部を接着する接着部材で接着したことを特徴とした請求項１から３のいずれか一項に記載の自動販売機。
【請求項５】
第１の断熱材は真空断熱材で、第２の断熱材はウレタン発泡材あるいは発泡スチロール材であることを特徴とした請求項１から４のいずれか一項に記載の自動販売機。
【発明の詳細な説明】
【技術分野】
【０００１】
本発明は、商品収納装置に収納された商品を冷却または加温して商品を販売するようにした自動販売機に関し、特に庫内を保冷、加温するための断熱構造に関するものである。
【背景技術】
【０００２】
従来、この種の自動販売機の断熱構造としてはキャビネット、内扉、仕切り板に対し、硬質プラスチックの断熱芯材に真空断熱材を採用しているものがあった（特許文献１参照）。
【０００３】
図７は前記文献に記載された従来の自動販売機の断熱構造の断面図を示すものである。図７において、自動販売機の断熱構造において、収納室１の内壁２と自動販売機本体３の外壁４との間や、複数の収納室１を有する場合の収納室同士を仕切る仕切り壁（図示せず）の内部には、断熱材が介装されている。このような断熱構造部分としてはウレタン材５や真空断熱材６を挿入してウレタン発泡材７で一体発泡した発泡材８があった。
【特許文献１】特開２００１−１８４５５４号公報
【発明の開示】
【発明が解決しようとする課題】
【０００４】
しかしながら、前記従来の構成では、真空断熱材の面積を増加させた場合、ウレタン発泡材で真空断熱材を挿入して一体発泡させるとういう工程では注入したウレタン発泡材が発泡材全体で発泡しにくいという問題があった。
【０００５】
本発明は、上記従来の課題を解決するもので、断熱性能の高い断熱材のみで断熱壁の厚みを小さくし、一体発泡の工程を廃止しても断熱効果の高いキャビネット、内箱、仕切り板を構成できる自動販売機を提供することを目的とする。
【課題を解決するための手段】
【０００６】
前記従来の課題を解決するために、本発明の自動販売機は、収納室に高い断熱性能を有する略矩形状の第１の断熱材と、前記第１の断熱材よりも低い断熱性能を有する第２の断熱材とを有する第１の断熱板を備え、前記第１の断熱板は前記第１の断熱材の外周に前記第２の断熱材を配置し、全体をシートで覆って形成され、前記第１の断熱板で前記収納室に断熱空間を形成することで、断熱性能の高い断熱材の面積を増加させ、断熱性能の向上ができる。
【発明の効果】
【０００７】
本発明の自動販売機は、断熱壁の厚みを小さくすることで商品を多く収納することができ、ウレタン発泡材での一体発泡という工程を無くした上でも消費電力量の低減すなわち省エネを行うことができる。
【発明を実施するための最良の形態】
【０００８】
請求項１に記載の発明は、自動販売機の収納室は高い断熱性能を有する略矩形状の第１の断熱材と、前記第１の断熱材よりも低い断熱性能を有する第２の断熱材とを有する第１の断熱板を備え、前記第１の断熱板は前記第１の断熱材の外周に前記第２の断熱材を配置して、前記第１の断熱板の両面をシートで覆って形成し、前記第１の収納板で前記収納室に断熱空間を形成することにより断熱性能の高い断熱材の面積を増加させ、断熱性能の向上ができる。
【０００９】
請求項２に記載の発明は、請求項１に記載の発明にさらに、第１の断熱材は周縁部に凸部を形成し、第２の断熱材は前記凸部に対応させて凹部を形成したことにより第１の断熱材と第２の断熱材の隙間を無くし、断熱板内部の発汗防止と断熱板の断熱性能の向上ができる。
【００１０】
請求項３に記載の発明は、請求項１または２に記載の発明にさらに、第１の断熱材と第２の断熱材の接合部にシール部材を配置したことにより、第１の断熱材と第２の断熱材の隙間を無くし、断熱板内部の発汗防止と断熱板の断熱性能の向上ができる。
【００１１】
請求項４に記載の発明は、請求項１から３のいずれか一項に記載の発明にさらに、第１の断熱板を覆うシートと第１の断熱材、第２の断熱材の接合部を接着する接着部材で接着したことにより、シートと第１の断熱材、第２の断熱材の隙間を無くし、断熱板内部の発汗防止と断熱板の断熱性能の向上ができる。
【００１２】
請求項５に記載の発明は、請求項１から４のいずれか一項に記載の発明にさらに、第１の断熱材は真空断熱材で、第２の断熱材はウレタン発泡材あるいは発泡スチロール材であることにより、真空断熱材により断熱性能の向上ができる。
【００１３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１４】
（実施の形態１）
図１（ａ）は、本発明の実施の形態１による自動販売機の断熱板における第１の断熱材と第２の断熱材を組み合わせる前の状態の斜視図である。
【００１５】
図１（ｂ）は、本発明の実施の形態１による自動販売機の断熱板における第１の断熱材と第２の断熱材とシートを組み合わせた状態の斜視図である。
【００１６】
図１（ａ）において、第１の断熱材９の周囲に第１の断熱材９よりも低い断熱性能を有する第２の断熱材１０を配置する。
【００１７】
図１（ｂ）において、第１の断熱材９と第２の断熱材１０を一つの箱型の形状に組み合わせて、シート１１を覆い、テープ等で接合し、一つの第１の断熱板１２を形成する。
【００１８】
なお、シート１１として紙を用いると安価である利点があるが、これに限るものではなく、他のシート状の材料を用いることも可能である。また、シート１１と第１の断熱材９と第２の断熱材１０を覆うために、その覆う面に予め接着のためののり等を接着剤として配置することも可能である。
【００１９】
図２は、本発明の実施の形態１における自動販売機のメインドアを開いた状態の斜視図である。
【００２０】
図２は断熱構造の本体３で、この本体３は前面が開放する箱状をなし、この本体３の前にメインドア１３と内扉１４が取り付けられている。またメインドア１３の上部にはローディング扉１５が取り付けられている。
【００２１】
一方本体３内には仕切り板１６が二枚互いに対向して設けられ、これら仕切り板１６により本体３内が仕切り板１６の相互間の加温室１７と、一方の仕切り板１６左側の冷却室１８と他方の仕切り板１６の右側の冷却室１９との三室に仕切られている。
【００２２】
そしてこれら加温室１７と冷却室１８、１９内にそれぞれ例えばサーペンタイン形のコラム２０が設けられ、これらコラム２０内に所定の商品が収納されている。
【００２３】
加温室１７のコラム内に収納された各商品は加温手段（図示せず）により保温され、冷却室１８、１９のコラム内に収納された各商品は冷却手段（図示せず）により保冷される。
【００２４】
このように構成された自動販売機は、開閉自在の内扉１４で塞がれ、その内部に設けた冷却装置（図示せず）と加温装置（図示せず）により、冷却室１８、１９と加温室１７は所定の温度で保存することができ、本体３全体と内扉１４全体及び仕切り板１６に第１の断熱板１２を用いて、断熱性能の高い断熱材の面積を増加させ、断熱効果を向上することができる。
【００２５】
また、第１の断熱材を複数枚設けることで、一部の第１の断熱材が破損しても、断熱性能を維持することができる。
【００２６】
また、この第１の断熱材を各々の厚み方向に設けることとしても一部の第１の断熱材が破損した場合においても、断熱性能を維持することができる。
【００２７】
（実施の形態２）
図３は、本発明の実施の形態２における自動販売機の断熱板の分解斜視図である。
【００２８】
図４は、本発明の実施の形態２における自動販売機の断熱板の断面図である。
【００２９】
図３、図４において、第２の断熱材１０は、第１の断熱材９の周囲の形状に合わせた切込みを配置し、第１の断熱材９を差し込んで取り付き、第１の断熱材９と第２の断熱材２０が組み合わされた状態でシート１１を覆い、テープ等で接合し、一つの第２の断熱板２１を形成する。
【００３０】
このように構成された自動販売機は、開閉自在の内扉１４で塞がれ、その内部に設けた冷却装置（図示せず）と加温装置（図示せず）により、冷却室１８、１９と加温室１７は所定の温度で保存することができ、本体３全体と内扉１４全体及び仕切り板１６に第２の断熱板２１を用いて、第１の断熱材９と第２の断熱材１０をブロック状に組み合わせることで互いの接合する面のシール性を上げて、自動販売機本体３周囲と収納室１あるいは冷却室１８、１９と加温室１７との間での熱損失を抑制し、断熱効果と断熱板内部の発汗防止を向上することができる。
【００３１】
また、本実施の形態の第２の断熱材１０を第１の断熱材９の形状に合わせた一部品にすれば、同様に断熱効果と断熱板内部の発汗防止をすることができ、部品の簡素化と第２の断熱板の製作が容易になる。
【００３２】
（実施の形態３）
図５は、本発明の実施の形態３における自動販売機の断熱板の断面図である。
【００３３】
図５において、第２の断熱材１０は、第１の断熱材９の周囲の形状に合わせた切込みを配置し、第１の断熱材９と第２の断熱材１０の接合面にシール部材２２を配置し、第１の断熱材９を差し込んで取り付き、第１の断熱材９と第２の断熱材１０が組み合わされた状態でシート１１を覆い、テープ等で接合し、一つの第３の断熱板２３を形成する。
【００３４】
なお、シール部材２２は、接着性およびシール性を有する液状またはゲル状の材料であり、例えば、シリコン系シール材、発泡メルト、熱硬化性接着材等を用いることができ、注入ガンにて第１の断熱材９と第２の断熱材１０の接合する部位に塗布したのち所定の時間が経過すると、各断熱材同士が接着し、接合部のシールができるものである。
【００３５】
また、シール部材２２としては、ウレタンフォーム等の弾性体の片面に接着面を備えたもの等を用いることができ、第１の断熱材９と第２の断熱材１０の接合する部位のいずれかの断熱材の片面に貼り付けることで各断熱材同士が密着し、接合部のシールができるものである。
【００３６】
このように構成された自動販売機は、開閉自在の内扉１４で塞がれ、その内部に設けた冷却装置（図示せず）と加温装置（図示せず）により、冷却室１８、１９と加温室１７は所定の温度で保存することができ、本体３全体と内扉１４全体及び仕切り板１６に第３の断熱板２３を用いて、第１の断熱材９と第２の断熱材１０をブロック状に組み合わせた上に互いの接合する面にシール材を追加してシール性を上げて、自動販売機本体３周囲と収納室１あるいは冷却室１８、１９と加温室１７との間での熱損失を抑制し、断熱効果と断熱板内部の発汗防止を向上することができる。
【００３７】
（実施の形態４）
図６は、本発明の実施の形態４における自動販売機の断熱板の断面図である。
【００３８】
図６において、第２の断熱材１０は、第１の断熱材９の周囲の形状に合わせた切込みを配置し、第１の断熱材９と第２の断熱材１０の接合面にシール部材２２を配置し、第１の断熱材９を差し込んで取り付き、第１の断熱材９と第２の断熱材１０が組み合わされた状態でシート１１を覆い、接着部材２４で接合し、一つの第４の断熱板２５を形成する。
【００３９】
なお、接着部材２４は、接着性およびシール性を有する液状またはゲル状の材料であり、例えば、シリコン系シール材、発泡メルト、熱硬化性接着材等を用いることができ、注入ガンにて第１の断熱材９と第２の断熱材１０の接合する部位に塗布したのち所定の時間が経過すると、各断熱材同士が接着し、接合部のシールができるものである。
【００４０】
また、接着部材２４としては、両面に接着面を有する両面テープを用いることができ、第１の断熱材９と第２の断熱材１０とシート１１の接合する部位のいずれかの断熱材の片面に貼り付けることで各断熱材同士が密着し、接合部のシールができるものである。
【００４１】
このように構成された自動販売機は、開閉自在の内扉１４で塞がれ、その内部に設けた冷却装置（図示せず）と加温装置（図示せず）により、冷却室１８、１９と加温室１７は所定の温度で保存することができ、本体３全体と内扉１４全体及び仕切り板１６に第４の断熱板２５を用いて、第１の断熱材９と第２の断熱材１０とシート１１をシール部材２２と接着部材２４で第４の断熱板２５全体のシール性を上げて、自動販売機本体３周囲と収納室１あるいは冷却室１８、１９と加温室１７との間での熱損失を抑制し、断熱効果と断熱板内部の発汗防止を向上することができ、また自動販売機本体への組み込み時におけるシートの剥がれ等による強度不足を解消できる。
【００４２】
（実施の形態５）
図６において、第２の断熱材１０は、ウレタン発泡材あるいは発泡スチロールで形成し、第１の断熱材９は連続気泡型の硬質プラスチックフォームのスラブ材などとゼオライトなどのゲッタ材をナイロン、ＰＥＴ、アルミ箔、ポリエチレンなどを積層した少なくとも四層のドライラミネート材からなる被覆材に入れてシールし、その内部を０．０５Ｔｏｒｒ以下に減圧して封止したものであり、硬質プラスチックフォーム単体の断熱材に比べて熱伝導率が低く、高い断熱性能が得られる真空断熱材で形成する。
【００４３】
第２の断熱材１０は、第１の断熱材９の周囲の形状に合わせた切込みを配置し、第１の断熱材９と第２の断熱材１０の接合面にシール部材２２を配置し、第１の断熱材９を差し込んで取り付き、第１の断熱材９と第２の断熱材１０が組み合わされた状態でシート１１を覆い、接着部材２４で接合し、一つの第４の断熱板２５を形成する。
【００４４】
このように構成された自動販売機は、開閉自在の内扉１４で塞がれ、その内部に設けた冷却装置（図示せず）と加温装置（図示せず）により、冷却室１８、１９と加温室１７は所定の温度で保存することができ、本体３全体と内扉１４全体及び仕切り板１６に第４の断熱板２５を用いて、第１の断熱材９と第２の断熱材１０とシート１１をシール部材２２と接着部材２４で第４の断熱板２５全体のシール性を上げて、真空断熱材による断熱効果の向上と、シール性向上で断熱板内部の発汗防止を向上することができ、また自動販売機本体への組み込み時におけるシートの剥がれ等による強度不足を解消できる。
【産業上の利用可能性】
【００４５】
本発明にかかる自動販売機は、断熱壁の厚みを小さくすることで商品を多く収納することができ、ウレタン発泡材での一体発泡という工程を無くした上で省エネを行うことができるので、自動販売機以外の断熱を必要とする機器にも適用できる。
【図面の簡単な説明】
【００４６】
【図１】（ａ）本発明の実施の形態１による自動販売機の断熱板における第１の断熱材と第２の断熱材を組み合わせる前の状態の斜視図（ｂ）本発明の実施の形態１による自動販売機の断熱板における第１の断熱材と第２の断熱材とシートを組み合わせた状態の斜視図
【図２】本発明の実施の形態１における自動販売機のメインドアを開いた状態の斜視図
【図３】本発明の実施の形態２における自動販売機の断熱板の分解斜視図
【図４】本発明の実施の形態２における自動販売機の断熱板の断面図
【図５】本発明の実施の形態３における自動販売機の断熱板の断面図
【図６】本発明の実施の形態４、５における自動販売機の断熱板の断面図
【図７】従来の自動販売機の断熱構造の断面図
【符号の説明】
【００４７】
１    収納室
３    自動販売機本体
９    第１の断熱材
１０  第２の断熱材
１１  シート
１２  第１の断熱板
２１  第２の断熱板
２２  シール部材
２３  第３の断熱板
２４  接着部材
２５  第４の断熱板
【図１】
2007122316.tif 000003
【図２】
2007122316.tif 000004
【図３】
2007122316.tif 000005
【図４】
2007122316.tif 000006
【図５】
2007122316.tif 000007
【図６】
2007122316.tif 000008
【図７】
2007122316.tif 000009